(57)【要約】【課題】  シェード部材の幅方向の張力を調整することなく、たるみの発生を防止できるサンシェード装置を提供すること。【解決手段】  サンルーフパネル５０を透過した日差しの通過を許す材質又は形状で、所定形状に湾曲するガイド部材２０をサンルーフパネル５０の下面に沿って設置し、このガイド部材２０の上面に、該ガイド部材２０の湾曲形状に沿って湾曲する巻取装置３０を設け、この巻取装置３０からガイド部材２０に沿って湾曲するように支えられて引き出されるシェード部材４０を設けた。【選択図】            図２
2007131208.tif 000002
【特許請求の範囲】
【請求項１】
サンルーフパネルが設けられた車両の天井に設置され、シート状のシェード部材と、シェード部材を巻き取るための巻取装置とを備え、巻取装置から引き出されたシェード部材によってサンルーフパネルを透過する日差しを遮ることができる車両用サンシェード装置であって、
前記サンルーフパネルの下面に沿って設置され、前記シェード部材が巻き取られたときサンルーフパネルを透過した日差しの通過を許す材質又は形状で、所定形状に湾曲するガイド部材を備え、
前記シェード部材を前記巻取装置から前記サンルーフパネルと前記ガイド部材との間に引き出すことができ、引き出されたシェード部材が、前記ガイド部材によって支えられて前記ガイド部材に沿って湾曲する車両用サンシェード装置。
【請求項２】
請求項１に記載の車両用サンシェード装置であって、
前記ガイド部材に、前記巻取装置と、前記シェード部材を前記巻取装置から引き出すための引出手段が取り付けられている車両用サンシェード装置。
【請求項３】
請求項１又は請求項２に記載の車両用サンシェード装置であって、
前記シェード部材の引き出し端に、この引き出し端を前記ガイド部材に沿って湾曲した状態に保持する補強部材が設けられており、
前記巻取装置の巻取軸が、可撓性を有し、前記ガイド部材に沿って湾曲した状態に保持されている車両用サンシェード装置。
【請求項４】
請求項１から請求項３のいずれか１項に記載の車両用サンシェード装置であって、
前記シェード部材の幅方向端部を案内するガイドレールを備える車両用サンシェード装置。
【発明の詳細な説明】
【技術分野】
【０００１】
本発明は、サンルーフパネルが設けられた車両の天井に設けられ、該サンルーフパネルを透過する日差しを遮るサンシェード装置に関し、特に、車両の天井に沿って上方に凸となるように湾曲するシェード部材を備えるサンシェード装置に関する。
【背景技術】
【０００２】
サンルーフパネルが設けられた車両の天井には、サンルーフパネルを透過する日差しを必要に応じて遮るためのサンシェード装置が設けられている。サンルーフパネルはガラスや合成樹脂製の透光性のある板状の部材で、車両のルーフに形成された開口を閉鎖するように取り付けられている。サンシェード装置は、遮光用の布等からなるシェード部材と、シェード部材を巻き取る巻取装置を備えており、巻取装置からシェード部材をサンルーフパネルの下方に引き出すことにより、シェード部材によりサンルーフパネルを透過する日差しを遮ることができるように構成されている。
この巻取式サンシェード装置では、サンルーフパネルが上方に凸となるように湾曲しているにもかかわらずシェード部材が平面で引き出されるため、搭乗者の頭上空間が狭くなるという問題がある。この問題を対策するものとして、特開２００１−１８０２７８号公報（以下、「特許文献１」という。）に開示された技術がある。
【０００３】
この特許文献１に記載の「巻取式サンシェード装置」は、上方に凸の湾曲状で可撓性の巻取軸にシェード部材を巻き取らせるもので、内側に内開口を有するフレームの左右両側に設けたブラケットに巻取軸の両端を支持させ、巻取軸の中央部に保形部材を設けて、これら左右のブラケットと中央の保形部材とにより、シェード部材の幅方向の張力を調整可能として見栄えをよくしようとするものである。
【特許文献１】特開２００１−１８０２７８号公報
【発明の開示】
【発明が解決しようとする課題】
【０００４】
ところが、上記特許文献１に記載の技術では、幅方向で張力が均一になるように調整するためには、中央の保形部材の、シェード部材が巻取り・引出される方向（車両前後方向）と同一方向の取付位置や、ブラケットの左右方向の取付位置を細かく調整しなければならず、調整に手間が掛かるという問題がある。
【０００５】
そこで、本発明は、かかる課題を解決すべく、シェード部材の幅方向の張力を調整することなく、たるみの発生を防止できるサンシェード装置を提供することを目的とする。
【課題を解決するための手段】
【０００６】
本発明に係る請求項１に記載の車両用サンシェード装置は、サンルーフパネルが設けられた車両の天井に設置され、シート状のシェード部材と、シェード部材を巻き取るための巻取装置とを備え、巻取装置から引き出されたシェード部材によってサンルーフパネルを透過する日差しを遮ることができる車両用サンシェード装置であって、前記サンルーフパネルの下面に沿って設置され、前記シェード部材が巻き取られたときサンルーフパネルを透過した日差しの通過を許す材質又は形状で、所定形状に湾曲するガイド部材を備え、前記シェード部材を前記巻取装置から前記サンルーフパネルと前記ガイド部材との間に引き出すことができ、引き出されたシェード部材が、前記ガイド部材によって支えられて前記ガイド部材に沿って湾曲することを特徴とする。
【０００７】
よって、巻取装置から引き出されたシェード部材が、所定形状に湾曲したガイド部材によって支えられてガイド部材に沿って湾曲するので、幅方向の張力を調整することなくシェード部材を湾曲させて、たるみの発生を防止することができる。
【０００８】
また、本発明に係る請求項２に記載の車両用サンシェード装置は、請求項１に記載の車両用サンシェード装置であって、前記ガイド部材に、前記巻取装置と、前記シェード部材を前記巻取装置から引き出すための引出手段が取り付けられていることを特徴とする。
よって、巻取装置、シェード部材およびその引出手段がガイド部材に取り付けられているため、これらの取付位置の精度が上がり、かつモジュール化できるので容易に車両への組み付けができる。
【０００９】
また、本発明に係る請求項３に記載の車両用サンシェード装置は、請求項１又は請求項２に記載の車両用サンシェード装置であって、前記シェード部材の引き出し端に、この引き出し端を前記ガイド部材に沿って湾曲した状態に保持する補強部材が設けられており、前記巻取装置の巻取軸が、可撓性を有し、前記ガイド部材に沿って湾曲した状態に保持されていることを特徴とする。
よって、巻取装置の巻取軸とシェード部材の引き出し端に設けた補強部材とによりシェード部材の前後をガイド部材に沿って湾曲させるので、ガイド部材を基板として巻取装置と補強部材との湾曲形状が略一致するため、引き出されたシェード部材も湾曲形状が一定となり、シェード部材の引き出し・巻き取りが滑らかにできる。
【００１０】
また、本発明に係る請求項４に記載の車両用サンシェード装置は、請求項１から請求項３のいずれか１項に記載の車両用サンシェード装置であって、前記シェード部材の幅方向端部を案内するガイドレールを備えることを特徴とする。
よって、シェード部材の幅方向端部が決まった位置を案内されて摺動するので、シェード部材の端部に波打ちが発生しにくく、シェード部材の見栄えが向上する。
【発明の効果】
【００１１】
本発明によれば、サンルーフパネルが設けられた天井の下面に、該サンルーフパネルに沿って所定形状に湾曲するガイド部材を設け、巻取装置からサンルーフパネルとガイド部材との間に引き出され、ガイド部材によって支えられてガイド部材に沿って湾曲するシェード部材を設けたので、シェード部材を、張力を調整することなくたるみなく湾曲した形状に保持可能な車両用サンシェード装置を提供することができる。
【発明を実施するための最良の形態】
【００１２】
次に、本発明に係る車両用サンシェード装置の一の実施の形態について図面を参照して説明する。ここで、図１は、サンルーフパネルを設けた車両のルーフを示した斜視図であり、図２は、室内の天井に設けられるサンシェード装置の斜視図である。
【実施例】
【００１３】
車両のルーフは、図１及び図３から図６に示すように、採光用の開口７１が設けられたルーフパネル７０と、該ルーフパネル７０の側部を補強するルーフサイドレール８０と、開口７１の前後を補強するルーフ補強部材９０等により形成されている。そして、前記開口７１がガラスや合成樹脂製の透光性のあるサンルーフパネル５０により閉鎖されている。
【００１４】
ルーフパネル７０の車両側端部は、ルーフサイドレール８０の外フランジ部８１を包むように折り込んでドアあるいは窓の開口８１を形成している。
ルーフパネル７０の一般面は前記開口７１に向かって延び、前記サンルーフパネル５０が収納される凹部７５を介してフランジ部７３につながり、前記開口７１の周囲にこのフランジ部７３が形成されている。
ルーフサイドレール８０の車両中心側は、フランジ部８３により、ルーフパネル７０のフランジ部７３と重合してスポット溶接され、前記開口７１の周囲を形成している。
【００１５】
前記開口７１の前後部位は、図３に後部の断面で代表して示すように、車両の左右方向に橋渡しされ、両端が前記ルーフサイドレール８０に接続されるハット断面のルーフ補強部材９０が設けられている。
サンルーフパネル５０の車両室内側には、図２に示すような、サンルーフパネル５０を透過する日差しを遮ることができるサンシェード装置１０が取り付けられる。
【００１６】
サンシェード装置１０は、開口７１を略覆う大きさでサンルーフパネル５０に沿って上方に凸となるように湾曲するガイド部材２０と、該ガイド部材２０の上面後部に取り付けられ、該ガイド部材２０に沿って上方に凸となるように湾曲し、後述のシェード部材４０を巻き取る巻取装置３０と、該巻取装置３０に引き出し・巻き取り可能に接続された遮光用の布等からなるシェード部材４０と、該シェード部材４０を前記巻取装置３０から引き出すための引出手段６０とを備えている。
【００１７】
ガイド部材２０は、前記開口７１を覆う大きさの透光性の合成樹脂製パネルであり、サンルーフパネル５０に略沿って上方に凸となるように湾曲している。ガイド部材２０の左右端近傍の上面には、後述するシェード部材４０が引き出されたときに案内する左右一対のユ字状断面のガイドレール２５が設けられている。
ガイド部材２０は、その周囲に設けた取付孔２９により、開口７１周囲のフランジ部７３、８３、およびルーフ補強部材９０にネジ止めされる。
なお、図４から図６の断面図では、ガイド部材２０の周囲の一部に段部が設けられてネジ止めされているが、図２、図９の平面図ではこの段部は省略してある。
【００１８】
後述するシェード部材４０を巻き取る巻取装置３０は、図２、図３および図５に示すように、ガイド部材２０に沿って湾曲が可能な可撓性の中空パイプからなる巻取軸３１と、該巻取軸３１の長さより若干大きな間隔でガイド部材２０の後部上面の左右に立設したブラケット３５、３５と、該ブラケット３５、３５から互いに向き合い、前記ガイド部材２０が湾曲した面の接線方向に所定長さで立設され、前記巻取軸３１内に挿入されたピン３７と、該巻取軸３１内に嵌入され、一端を巻取軸３１に、他端をピン３７又はブラケット３５に固定されたバネ部材３３とを備えている。
【００１９】
巻取軸３１の外側の幅方向中心部には、所定幅で、該巻取軸３１の上半周を覆い、シェード部材４０が巻き取られたときの最大外径より若干大きな内径を有するホールド部材３９がガイド部材２０に取り付けられている。なお、このホールド部材３９は、巻取軸３１の幅方向中心部と左右側部に３分割して設けてもよい。
【００２０】
シェード部材４０は、サンルーフパネル５０を透過する日差しを遮る遮光用の布等からなり、一端を前記巻取装置３０に引き出し・巻き取り可能に接続固定されている。シェード部材４０の自由な他端には、シェード部材４０と略同一の幅で上方に凸の湾曲形状に成形された補強部材４３が取り付けられている。
補強部材４３の略車両中心位置には、後述する引出手段６０のベルト６３を貫通固定する孔４３７が設けられている。補強部材４３の両端には、図７、図８に示すように、ガイドレール２５内でその縦壁２５１と、上下壁２５３、２５５と接触するシュー４３１が形成されている。
【００２１】
巻取装置３０からシェード部材４０を引き出す引出手段６０は、図２および図９、図１０に示すように、ガイド部材２０の、略車両中心位置の前後に設けられたプーリ用孔２７、２７に、該ガイド部材２０と交差するように取り付けられた一対の第１プーリ６１、第２プーリ６２と、両プーリ６１、６２間に掛け回されるベルト６３と、ガイド部材２０の下面（車両室内側）に、前記ベルト６３に固定された操作ノブ６５と、該操作ノブ６５をガイド部材２０の前後方向に沿って摺動するように案内するガイドプレート６７と、両プーリ６１、６２やガイドプレート６７をカバーするカバー６９とを備えている。なお、両プーリ６１、６２の傾斜した軸や軸受の記載は省略してある。
【００２２】
第１プーリ６１、第２プーリ６２間に掛け回されるベルト６３は、ガイド部材２０の上面に出る側は、補強部材４３の幅方向中央部に設けられた孔４７３に通されて補強部材４３に固定され、ガイド部材２０の下面に出る側は、プーリ６１、６２の直径分だけ補強部材４３の幅方向中央部から偏心した位置を通り、操作ノブ６５の中心に接続固定されている。そして、ベルト６３に対する補強部材４３と操作ノブ６５の取付位置は、シェード部材４０の引き出し長さ分だけずらしてある。
【００２３】
操作ノブ６５は、逆凸断面のブロック状に成形されたものである。該操作ノブ６５を案内するガイドプレート６７は、一辺が他の辺より長いコ字断面形状を対向させて、この長辺で接合した形状を呈し、下方に開口するようにガイド部材２０の下面に、該下面を通る前記ベルト６３が中心位置になるように車両前後方向に取り付けられている。
ガイドプレート６７のコ字断面形状内に、逆凸断面の操作ノブ６５の幅広底部が嵌挿されて、該操作ノブ６５がガイドプレート６７内を車両前後方向に摺動可能になっている。
【００２４】
上記のように、サンシェード装置１０は、ガイド部材２０のガイド部材２０に、巻取装置３０、該巻取装置３０に巻き取られるシェード部材４０、該シェード部材４０を巻取装置３０から引き出す引出手段６０ならびに引き出されたシェード部材４０を案内するガイドレール２５等を取り付けてモジュール化されているので、車両へ容易に組み付けができる。
【００２５】
以上のように構成されたサンシェード装置１０の動作について説明する。
図２に示すシェード部材４０が、ガイド部材２０の車両後方に設けられた巻取装置３０に巻き取られ、シェード部材４０の先端の補強部材４３が左右のガイドレール２５、２５に係合している状態から、図９に示すように、車両前方にある操作ノブ６５を後方に移動させると、操作ノブ６５に固定されたベルト６３を引っ張るようにして、該ベルト６３を図２で反時計回りに回動させる。
【００２６】
すると、ベルト６３に固定された補強部材４３が車両前方に引っ張られ、左右両端がガイドレール２５、２５に案内されながら徐々に前方に移動する。したがって、補強部材４３に接続され巻取装置３０に巻き取られているシェード部材４０も、巻取装置３０のバネ部材３３の捩り力に抗して徐々に前方に引き出され、ついには、シェード部材４０が開口７１を覆って、サンルーフパネル５０を透過する日差しを遮る。
【００２７】
シェード部材４０が引き出される際に、巻取装置３０の巻取軸３１は可撓性のあるゴム製等の中空パイプで形成されており、かつ、ガイド部材２０の湾曲形状に沿って湾曲しているので、該巻取軸３１が回転すると、湾曲した状態でシェード部材４０が巻かれている巻取軸３１の外周側と内周側で長さが変化し、伸びと圧縮が繰り返されるが、巻取軸３１はゴム製等で伸縮が可能なため、湾曲していても滑らかに回転できる。
同様に、シェード部材４０も遮光用の布やネット等の柔らかい部材で形成されているので、巻取軸３１に巻かれている部分は上記と同様に伸びと圧縮が繰り返されるが、湾曲していても滑らかに回転できる。
【００２８】
また、巻取装置３０はバネ部材３３により、常にシェード部材４０を巻き取る方向に付勢されているため、シェード部材４０の引き出し時には、該シェード部材４０を引っ張る力が働くとともに、シェード部材４０の左右両端がガイドレール２５内を通るため、シェード部材４０に波打等が発生せず、湾曲状態を保って平坦に引き出される。
また、図３の断面図に示すように、シェード部材４０の下面を、ガイド部材２０のガイド部材２０の上面に接するように形成しているため、さらにシェード部材４０はガイド部材２０の湾曲形状に沿った湾曲形状で引き出されることとなり、波打ち等が解消された見栄えのよい状態でシェード部材４０を引き出すことができる。
そして、操作ノブ６５を図略の固定装置に固定して、引き出された状態を保持する。
【００２９】
つぎに、シェード部材４０が引き出された状態から、シェード部材４０を巻き取ってサンルーフパネル５０からの日差しを透過させる場合は、車両後方にある操作ノブ６５をその固定装置から外して前方に徐々に移動させる。
すると、操作ノブ６５に固定されたベルト６３が時計回りに回動し、ベルト６３に固定された補強部材４３が巻取装置３０に向かってガイドレール２５、２５に案内されながら移動すると同時に、シェード部材４０が巻取装置３０のバネ部材３３の捩り力により巻取軸３１に巻き取られ、サンルーフパネル５０からの日差しがガイド部材２０を介して透過できるようになる。
【００３０】
シェード部材４０が巻取装置３０に巻き取られる場合も、該巻取軸３１が回転すると、湾曲している巻取軸３１の外周側と内周側で長さが変化し、伸びと圧縮が繰り返されるが、巻取軸３１はゴム製等で伸縮が可能なため、湾曲していても滑らかに回転できる。
同様に、シェード部材４０も遮光用の布やネット等の柔らかい部材で形成されているので、巻取軸３１に巻かれる部分は上記と同様に伸びと圧縮が繰り返されるが、湾曲していても滑らかに回転できる。
【００３１】
このように、本実施の形態では、サンルーフパネル５０を透過した日差しの通過を許す材質又は形状で、所定形状に湾曲するガイド部材２０をサンルーフパネル５０の下面に沿って設置し、このガイド部材２０の上面に、該ガイド部材２０の湾曲形状に沿って湾曲する巻取装置３０を設け、この巻取装置３０からガイド部材２０に沿って湾曲するように支えられて引き出されるシェード部材４０を設けたので、張力を調整することなく湾曲した状態でシェード部材４０を巻取装置３０から引き出すことができ、張力の調整を必要としないサンシェード装置１０とすることがが可能となった。
【００３２】
なお、本発明は前記実施の形態のものに限定されるものではなく、その趣旨を逸脱しない範囲で様々な変更が可能である。
例えば、前記実施の形態では、引出手段にプーリとベルトを組み合わせたもので説明したが、これに限られず、ボールネジとモータを利用したもの等も可能である。
また、ガイド部材に透光性のある合成樹脂製の１枚パネルのもので説明したが、スリットを設けたり、短冊状の複数のパネルを並べたもの等であってもよい。
【産業上の利用可能性】
【００３３】
本発明は、サンルーフパネルが設けられた車両の天井に設置され、シート状のシェード部材と、シェード部材を巻き取るための巻取装置とを備え、巻取装置から引き出されたシェード部材によってサンルーフパネルを透過する日差しを遮ることができる車両用サンシェード装置であって、前記サンルーフパネルの下面に沿って設置され、前記シェード部材が巻き取られたときサンルーフパネルを透過した日差しの通過を許す材質又は形状で、所定形状に湾曲するガイド部材を備え、前記シェード部材を前記巻取装置から前記サンルーフパネルと前記ガイド部材との間に引き出すことができ、引き出されたシェード部材が、前記ガイド部材によって支えられて前記ガイド部材に沿って湾曲するように構成したので、巻取装置から引き出されたシェード部材を、幅方向の張力を調整することなく所定形状に湾曲したガイド部材に沿って湾曲させて、たるみの発生を防止することができる車両用シェード装置を提供することが可能となった。
【図面の簡単な説明】
【００３４】
【図１】本発明の一の実施の形態に係る車両用サンシェード装置を備えたサンルーフパネルを設けた車両のルーフを示した斜視図である。
【図２】本発明の一の実施の形態に係る車両用サンシェード装置の上面の斜視図である。
【図３】図１のIII−III線に沿う断面図である。
【図４】図１のIV−IV線に沿う断面図である。
【図５】図１のV−V線に沿う断面図である。
【図６】図１のVI−VI線に沿う断面図である。
【図７】図２のＡ部の拡大平面図である。
【図８】図７のVIII−VIII線に沿う断面図である。
【図９】本発明の一の実施の形態に係る車両用サンシェード装置を反転させて、その下面を見た斜視図である。
【図１０】図２のX−X線に沿う断面図である。
【符号の説明】
【００３５】
１０        サンシェード装置
２０        ガイド装置
２１        ベース板
２５        ガイドレール
３０        巻取装置
３１        巻取軸
３３        バネ部材
３５        ブラケット
３７        ピン
３９        ホールド部材
４０        シェード部材
４１        クロス材
４３        補強部材
５０        サンルーフパネル
６０        引出手段
６１、６２  プーリ
６３        ベルト
６５        操作ノブ
７０        ルーフパネル
７１        開口
８０        ルーフサイドレール
９０        ルーフ補強部材
【図１】
2007131208.tif 000003
【図２】
2007131208.tif 000004
【図３】
2007131208.tif 000005
【図４】
2007131208.tif 000006
【図５】
2007131208.tif 000007
【図６】
2007131208.tif 000008
【図７】
2007131208.tif 000009
【図８】
2007131208.tif 000010
【図９】
2007131208.tif 000011
【図１０】
2007131208.tif 000012